(57)【要約】      （修正有）【課題】容器内で植物を支える繊維糸条体の捲縮した繊維糸条の捲縮率を１０％以上１５０％以下とすること等によって、「システムの小型化・簡素化」や「コストの低減」などを実現できる植物の栽培システム、繊維糸条体、及び、繊維糸条の製造方法を提供する。【解決手段】植物を入れる容器２と、容器２内で植物を支える繊維糸条体３を有し、繊維糸条体３を構成する繊維糸条４は、捲縮しており、繊維糸条４の捲縮率（Ｋ）が１０％以上１５０％以下である栽培システム。【選択図】図１
2020202788.tif 000002
【特許請求の範囲】
【請求項１】
植物の栽培システムであって、
前記植物を入れる容器（２）と、この容器（２）内で植物を支える繊維糸条体（３）を有し、
この繊維糸条体（３）を構成する繊維糸条は、捲縮しており、
前記繊維糸条の捲縮率（Ｋ）が１０％以上１５０％以下であることを特徴とする栽培システム。
【請求項２】
前記繊維糸条は、螺旋状に捲縮し、
前記繊維糸条体（３）の空隙率（Ｇ）が８０％以上であることを特徴とする請求項１に記載の栽培システム。
【請求項３】
前記容器（２）内に土は入っておらず、
前記植物の根が、前記繊維糸条体（３）における繊維糸条の間に存在することを特徴とする請求項１又は２に記載の栽培システム。
【請求項４】
繊維糸条から構成される繊維糸条体であって、
前記繊維糸条は、捲縮しており、
前記繊維糸条の捲縮率（Ｋ）が１０％以上１５０％以下であることを特徴とする繊維糸条体。
【請求項５】
繊維糸条の製造方法であって、
繊維糸条を一旦織成、編成及び／又は植設して繊維製品とする第１工程（Ｔ１）と、
この第１工程（Ｔ１）の繊維製品から、一旦織成、編成及び／又は植設された繊維糸条を解く第２工程（Ｔ２）を有し、
この解かれた繊維糸条は、捲縮しており、
前記解かれた繊維糸条の捲縮率（Ｋ）が１０％以上１５０％以下であることを特徴とする繊維糸条の製造方法。
【発明の詳細な説明】
【技術分野】
【０００１】
本発明は、植物の栽培システム、繊維糸条から構成される繊維糸条体、及び、繊維糸条体を構成する繊維糸条の製造方法に関するものである。
【背景技術】
【０００２】
従来、植物の栽培装置が知られている（特許文献１参照）。
この植物の栽培装置は、栽培槽の上部に植物支持板を備え、上記栽培槽の下部に養液を留保するとともに、上記栽培槽内の上部は相対湿度９５％以上の水蒸気で満たされた空気空間とし、上記植物支持板に支えられた植物の根の一部は上記空間内に、根の他部は上記養液中に留置するようにしている。
【先行技術文献】
【特許文献】
【０００３】
【特許文献１】特開２００７−１９５５１４号公報
【発明の概要】
【発明が解決しようとする課題】
【０００４】
しかしながら、特許文献１に記載された植物の栽培装置は、栽培槽内で、空気空間や下部での養液留保を必須とし、別途、養液タンクやポンプも用いる場合もあることから、装置の大型化・複雑化が問題である。
又、特許文献１の植物の栽培装置は、植物を栽培するために、空気空間を有し且つ下部での養液留保を可能とする栽培槽や、養液タンク、ポンプなどを必要とするため、栽培する植物のコストアップや、利益の低減等に繋がる。
【０００５】
本発明は、このような点に鑑み、容器内で植物を支える繊維糸条体の捲縮した繊維糸条の捲縮率を１０％以上１５０％以下とすること等によって、「システムの小型化・簡素化」や「コストの低減」などを実現できる植物の栽培システム、繊維糸条体、及び、繊維糸条の製造方法を提供することを目的とする。
【課題を解決するための手段】
【０００６】
本発明に係る栽培システム１は、植物の栽培システムであって、前記植物を入れる容器２と、この容器２内で植物を支える繊維糸条体３を有し、この繊維糸条体３を構成する繊維糸条は、捲縮しており、前記繊維糸条の捲縮率Ｋが１０％以上１５０％以下であることを第１の特徴とする。
【０００７】
本発明に係る植物の栽培システム１の第２の特徴は、上記第１の特徴に加えて、前記繊維糸条は、螺旋状に捲縮し、前記繊維糸条体３の空隙率Ｇが８０％以上である点にある。
【０００８】
本発明に係る植物の栽培システム１の第３の特徴は、上記第１又は２の特徴に加えて、前記容器２内に土は入っておらず、前記植物の根が、前記繊維糸条体３における繊維糸条の間に存在する点にある。
【０００９】
これらの特徴により、容器２内で植物Ｓを支える繊維糸条体３の捲縮した繊維糸条４の捲縮率Ｋを１０％以上１５０％以下とすることによって、特許文献１とは異なり、空気空間を有し且つ下部での養液留保を可能とする栽培槽や、養液タンク、ポンプなどは必要ないことから、栽培システム１の小型化や簡素化が図れる（「システムの小型化・簡素化」）。
これに加え、捲縮率Ｋが１０％以上１５０％以下である繊維糸条４で構成される繊維糸条体３は非常に安価であり、栽培する植物Ｓにかかるコストが低く抑えられ、利益アップに繋がる（「コストの低減」など）。
【００１０】
又、螺旋状に捲縮した繊維糸条４で構成された繊維糸条体３の空隙率Ｇを８０％以上とすることによって、繊維糸条体３内に貯えられた水で、植物Ｓ（根Ｎ等）を水蒸気が漂う水蒸気雰囲気下に置くことが可能となり、非常に単純且つ簡潔な構造で、植物Ｓの生長をより促進できる（更なる「システムの小型化・簡素化」や「コストの低減」などが図れる）。
【００１１】
更に、容器２内に土は入れない（つまり、栽培システム１において土を一切用いない）ことによって、土中に存在する菌によって植物Ｓの生長が妨げられることがなくなり、土のみを用いて栽培した植物より生長スピードが上がって（図７参照）利益の増加に繋がると共に、自治体によっては土が廃棄できなかったり、廃棄できるとしても土の廃棄に費用が発生するが、その土が不要となり、廃棄コスト等のコストの低減が図れる。
これと同時に、植物Ｓの根Ｎを繊維糸条体３の繊維糸条４の間に存在させることによって、根Ｎを、高い水蒸気濃度の雰囲気下に置くことが可能となり、植物Ｓの生長を更に促進できる。
これによっても、更なる「システムの小型化・簡素化」や「コストの低減」などが実現される。
【００１２】
本発明に係る繊維糸条体３は、繊維糸条から構成される繊維糸条体であって、前記繊維糸条は、捲縮しており、前記繊維糸条の捲縮率Ｋが１０％以上１５０％以下であることを第１の特徴とする。
【００１３】
この特徴により、繊維糸条体３の捲縮した繊維糸条４の捲縮率Ｋを１０％以上１５０％以下とすることによって、特許文献１とは異なり、当該繊維糸条体３を植物Ｓの栽培システム１に用いた場合には、空気空間を有し且つ下部での養液留保を可能とする栽培槽などは必要ないことから、栽培システム１の小型化や簡素化が図れると共に、捲縮率Ｋが１０％以上１５０％以下である繊維糸条４で構成される繊維糸条体３は非常に安価であり、栽培する植物Ｓにかかるコストが低く抑えられ、利益アップに繋がる（つまり、「システムの小型化・簡素化」や「コストの低減」などが実現する）。
【００１４】
本発明に係る繊維糸条の製造方法は、繊維糸条を一旦織成、編成及び／又は植設して繊維製品とする第１工程Ｔ１と、この第１工程Ｔ１の繊維製品から、一旦織成、編成及び／又は植設された繊維糸条を解く第２工程Ｔ２を有し、この解かれた繊維糸条は、捲縮しており、前記解かれた繊維糸条の捲縮率Ｋが１０％以上１５０％以下であることを第１の特徴とする。
尚、本発明における「繊維糸条を一旦織成、編成及び／又は植設して繊維製品とする」とは、＜Ａ＞繊維糸条を一旦織成して繊維製品とすること、＜Ｂ＞繊維糸条を一旦編成して繊維製品とすること、＜Ｃ＞繊維糸条を一旦植設して繊維製品とすることの＜Ａ＞〜＜Ｃ＞のうち、少なくとも何れか１つをして繊維製品とすることを意味する。
【００１５】
この特徴によっても、繊維糸条が一旦織成、編成及び／又は植設された繊維製品から当該繊維糸条を解いて、捲縮率Ｋが１０％以上１５０％以下の捲縮した繊維糸条４を製造することによって、特許文献１とは異なり、当該繊維糸条４を植物Ｓの栽培システム１に用いた場合には、空気空間を有し且つ下部での養液留保を可能とする栽培槽などは必要ないことから、栽培システム１の小型化や簡素化が図れると共に、この製造方法で製造される繊維糸条４は非常に安価であり、栽培する植物Ｓにかかるコストが低く抑えられ、利益アップに繋がる（「システムの小型化・簡素化」や「コストの低減」など）。
【発明の効果】
【００１６】
本発明に係る植物の栽培システム、繊維糸条体、及び、繊維糸条の製造方法によると、容器内で植物を支える繊維糸条体の捲縮した繊維糸条の捲縮率を１０％以上１５０％以下とすること等により、「システムの小型化・簡素化」や「コストの低減」などを実現できる。
【図面の簡単な説明】
【００１７】
【図１】本発明に係る植物の栽培システム、繊維糸条体を例示する斜視の図面代用写真である。
【図２】植物の栽培システム、繊維糸条体を例示する平面視の図面代用写真である。
【図３】植物と、繊維糸条体を例示する側面視の図面代用写真である。
【図４】植物と、繊維糸条体を例示する底面視の図面代用写真である。
【図５】別の繊維糸条体を例示する斜視の図面代用写真である。
【図６】繊維糸条を例示する平面視の図面代用写真である。
【図７】本発明に係る栽培システムにおいて土を一切用いなかった場合と、土のみを用いた場合における植物の生育状況の差を例示する図面代用写真である。
【図８】本発明に係る繊維糸条の製造方法を示すフローチャートである。
【発明を実施するための形態】
【００１８】
以下、本発明の実施形態を、図面を参照して説明する。
＜栽培システム１＞
図１〜７には、本発明に係る植物Ｓの栽培システム１（以下、「栽培システム１」とも言う）が示されている。
この栽培システム１は、植物Ｓを入れる容器２と、この容器２内の繊維糸条体３を有している。
【００１９】
栽培システム１は、何れの場所に設けられても良く、例えば、田畑、庭、農場などの屋外や、ビニールハウス内だけでなく、リビングや台所、玄関、ベランダなどの一般住宅に設けられたり、飲食店内やオフィス内、工場内などに設けられても良い。
栽培システム１では、土を用いずとも良く、土を一切用いなかった栽培システム１と、土のみを用いた場合では、同時に種を播き（播種し）、同じ環境にて栽培したにも関わらず、栽培システム１にて栽培した植物Ｓは、土のみを用いて栽培した植物Ｓより背丈（生長高さ）が明らかに高く、緑もより濃く、枝や葉もより広く張っている（図７参照）。
以下では、栽培システム１に栽培される植物Ｓについて、まず述べる。
【００２０】
＜植物Ｓ、根Ｎ＞
図１〜４、７に示したように、植物Ｓは、上述した栽培システム１に栽培される。
栽培される植物Ｓは、特に限定はなく、例えば、ニンニクやチューリップなど球根植物であったり、トマト、ケール、レタス等や、豆苗やブロッコリー等のスプラウト（新芽）など種を播いて（播種して）栽培する植物であったり、又、ベラなどの多肉植物や、ジャガイモ等を種芋から育てる場合などでも良い。
【００２１】
植物Ｓは、その他の野菜や果物（果実）であったり、稲、麦などの穀物類や、キノコ類であったり、草や木、花、その他の観葉植物などであっても良い。
このような植物Ｓは、当然、根Ｎを有するが、その根Ｎは、後述する繊維糸条体３における繊維糸条４の間に存在している。
【００２２】
ここで、「根Ｎが繊維糸条４の間に存在している」とは、根Ｎが、ある繊維糸条４と別の繊維糸条４の間に存在している場合だけでなく、１本の繊維糸条４の内部における、ある繊維と別の繊維の間に存在している場合も含む。
尚、植物Ｓがキノコ類である場合、その植物Ｓの根Ｎには、キノコ類の菌糸を含む。
又、栽培システム１で栽培されたニンニクは、その匂いが抑えられ、特に、栽培システム１（容器２内）に土を用いなかった場合には、その匂いは更に抑えられるとも言える。
【００２３】
１つの栽培システム１において栽培される植物Ｓの数も、特に限定はなく、１つの栽培システム１に、１つずつ植物Ｓを栽培しても良いし、１つの栽培システム１に、複数の植物Ｓを栽培しても構わない。
尚、１つの栽培システム１に複数の植物Ｓを栽培する場合、後述する容器２が、複数の植物Ｓを栽培できる構成となっている。
【００２４】
＜容器２＞
図１、２、７に示したように、容器２は、上述した植物Ｓを入れるものであり、後述する繊維糸条体３も、その内部に入っている。
容器２は、植物Ｓや繊維糸条体３を入れられるのであれば、何れの形状であっても良いが、例えば、複数の凹部２ａを有したプレート状やトレー（トレイ）状であっても構わない。この場合、それぞれの凹部２ａの開口形状は、略円形状や略正方形状であったり、略楕円状や略矩形状、その他、略多角形状であっても良い。
【００２５】
この場合、各凹部２ａには、１つずつ植物Ｓが入っても良いが、複数入っていても良く、仮に、各凹部２ａに１つずつ植物Ｓが入っていれば、植物Ｓ同士の根Ｎが絡まないとも言える。
容器２は、凹部２ａが１つのみの形状であっても良く、ポット状（丸くて深い形状）であったり、鉢状（開口形状が略円形に限らないもの）や、プランター状（略直方体状）等であるなど、特に限定はなく、この場合の開口形状も、略円形状や略正方形状であったり、略楕円状や略矩形状、その他、略多角形状であっても良い。
【００２６】
この場合も、１つの凹部２ａには、１つずつ植物Ｓが入っても良いが、複数入っていても良く、仮に、１つの凹部２ａに１つだけ植物Ｓが入っていれば、植物Ｓ同士の根Ｎが絡まないとも言える。
容器２には、支柱や覆い、棚仕立て等が設けられていたり、容器２自体が金網や壁、柵等の傍に配置されていても良い。その他、容器２は、上述した飲食店等の床に凹部２ａを設けたり、田畑や庭等における土を掘って設けた凹部２ａであっても良いとも言え、この場合には、凹部２ａを囲む当該床や土自体が容器２であるとも言える。
【００２７】
容器２の大きさも、特に限定はなく、何れの大きさでも構わないが、容器２が複数の凹部２ａを有したプレート状等であれば、例えば、長手方向長さが１０ｃｍ以上２００ｃｍ以下、短手方向長さが５ｃｍ以上１００ｃｍ以下などであったり、各凹部２ａの深さが１ｃｍ以上３０ｃｍ以下であったり、凹部２ａの開口形状が例えば略正方形状であれば、各辺の長さが３ｃｍ以上３０ｃｍ以下などであっても良い。
その他、容器２がポット状等であれば、その直径や各辺の長さが３ｃｍ以上１００ｃｍ以下で、容器２の深さが５ｃｍ以上１５０ｃｍ以下であっても良い。
【００２８】
容器２の素材も、特に限定はないが、例えば、合成樹脂（プラスチック）製であったり、素焼き（テラコッタ）製や、陶磁器製、ガラス製、木製、ブリキ（銅板に錫をメッキしたもの）製、鉄等の金属製、コンクリート製、セメント製、ＦＲＰ（繊維強化プラスチック）製などであっても良い。
その他、容器２の素材は、フェルト生地（不織布）や織地、編地等の布帛であっても良く、この場合の形状は、上述したポット状等以外に、バック状などであっても構わない。
又、容器２の色も、当然に特に限定されないが、例えば、白色系、黒色系、赤色系、茶色系、赤色系、青色系、黄色系、緑色系、水色系などであっても良い。
【００２９】
＜繊維糸条体３＞
図１〜７に示した如く、繊維糸条体３は、上述した容器２内で植物Ｓを支えるものであって、後述する繊維糸条４で構成され、所定量の繊維糸条４が集まった１つの塊であると言える。
ここで、「植物Ｓを支える」とは、植物Ｓの全体又は少なくとも一部が、繊維糸条体３の上にある（上に乗っている）場合だけでなく、植物Ｓの全体又は少なくとも一部が、繊維糸条体３の内部にある（内部に埋まっている）場合なども含む。
繊維糸条体３を構成する繊維糸条４の本数は、特に限定はないが、１本又は複数本であっても良く、例えば、１本以上１０００００本以下であっても構わない。
【００３０】
尚、繊維糸条体３が１本の繊維糸条４で構成される場合、その１本が非常に長いとも言え、又、繊維糸条体３が複数本の繊維糸条４で構成される場合、各繊維糸条４の長さは、略同じであっても良いし、それぞれが異なっていても良い。
繊維糸条体３は、その形状が不定形であり、何れの容器２（又は、その凹部２ａ）にもその形状に応じて入れられ、容器２（凹部２ａ）内を充填するとも言える。
【００３１】
尚、繊維糸条体３が１つの容器２（凹部２ａ）内を占める割合（充填率とも言える）についても、特に限定はないが、例えば、１０％以上１００％以下、好ましくは３０％以上９５％以下、更に好ましくは５０％以上９０％以下であっても良い。
又、１つの栽培システム１に対して、繊維糸条体３は１つ又は複数存在していても良く、複数の凹部２ａを有したプレート状の容器２の場合には、その凹部２ａと同じ数だけ、繊維糸条体３が存在しているとも言える。
【００３２】
繊維糸条体３における所定量の繊維糸条４が集まった１つの塊（つまり、本発明に係る繊維糸条体３）としての大きさ（嵩）についても、特に限定はないが、例えば、１ｃｍ3 以上１００００００ｃｍ3 以下などであっても良い。
本発明に係る繊維糸条体３としての重さも、特に限定はないが、例えば、０ｇ以上１００００ｇ以下であっても良い。
【００３３】
本発明に係る繊維糸条体３として含む繊維糸条４の本数も、特に限定はないが、例えば、１本以上１０００００本以下であっても良い。
本発明に係る繊維糸条体３は、袋に入れられていたり、包装されていても構わない。
【００３４】
＜繊維糸条４＞
図１〜７に示したように、繊維糸条４は、上述した繊維糸条体３を構成するものであり、繊維糸条４は、捲縮（クリンプ）している。
尚、本発明における「捲縮」とは、ＪＩＳ−Ｌ−０２０８：２００６の２４４に記載されたように、「繊維の縮れ（ちぢれ）」を意味する。
【００３５】
このように捲縮した繊維糸条４は、スナール糸であるとも言え、その他、後述する製造方法にて、一旦編成された繊維製品（編製品など）Ｐから繊維糸条４を解いた場合には、デニット糸であるとも言える。
ここで、本発明における「スナール」とは、ＪＩＳ−Ｌ−０２１０：１９８１の１１１３に記載されたように、「加撚した糸が緩んだときに、撚りのために出来た糸の縺れ（もつれ）」を意味し、本発明における「スナール糸」とは、「加撚が緩んで、撚りのための縺れが出来た糸」を意味する。
繊維糸条４は、螺旋状に捲縮して（螺旋状に縮れて）いても良い。
【００３６】
繊維糸条４を形成する素材は、具体的には、何れであっても良いが、例えば、ポリアクリロニトリル（ＰＡＮ）を主成分とするアクリル繊維であったり、レーヨン繊維やキュプラ繊維、アセテート繊維などの合成繊維であったり、綿や麻などの天然繊維であっても良く、その他、ポリエチレンテレフタレート（ＰＥＴ）や、ポリトリメチレンテレフタレート（ＰＴＴ）、ポリブチレンテレフタレート（ＰＢＴ）等のポリエステル繊維、ナイロン（ポリアミド）繊維、ポリエチレン（ＰＥ）、ポリプロピレン（ＰＰ）等のポリオレフィン系繊維、ポリビニルアルコール（ＰＶＡ）繊維（ビニロン繊維）、ポリウレタン（ＰＵ）繊維などの合成繊維や、ガラス繊維、羊毛、絹などであり、これらを単独又は組み合わせて用いられても構わない。
【００３７】
繊維糸条４の繊度も、何れの値でも良いが、例えば、総繊度で、２０ｄｔｅｘ以上３０００ｄｔｅｘ以下であっても良い。
繊維糸条４におけるフィラメント数も、特に限定はなく、例えば、複数（マルチフィラメント）であったり、単数（モノフィラメント）であっても良い。
【００３８】
繊維糸条４の長さも、特に限定はないが、例えば、１ｃｍ以上１０００ｃｍ以下であっっても良い。
尚、繊維糸条４の長さとは、後述するＪＩＳ−Ｌ−０２０８：２００６の２４６のように、「繊維糸条４の捲縮を伸ばしたときの長さ」や「繊維糸条４の元の長さ」の何れであっても良い。
更に詳解すれば、後述するＪＩＳ−Ｌ−１０１５：２０１０の８．１２．２のように、「繊維糸条４の捲縮を伸ばしたときの長さ」とは、「繊維糸条４に４．４１ｍＮ（ミリニュートン）×表示テックス数（総繊度）の荷重をかけたときの長さ」であり、「繊維糸条４の元の長さ」とは、「繊維糸条４に０．１８ｍＮ×表示テックス数（総繊度）の荷重をかけたときの長さ」であっても良い。
【００３９】
繊維糸条４の撚方向も、何れでも良く、単なる右撚（Ｓ撚）と左撚（Ｚ撚）や、Ｓ撚の繊維糸条４自体を更にＺ撚したものや、逆に、Ｚ撚の繊維糸条４自体を更にＳ撚したものなどであっても良い。
繊維糸条４において「撚数」とは、ＪＩＳ−Ｌ−０２０８：２００６の２３０で規定されたように、「単位長さ当たりの撚回数」を意味し、特に限定はないが、例えば、１ｍ（メートル）当たり何回転しているかの数であれば、１回／ｍ以上５００回／ｍ以下（甘撚）であったり、５００回／ｍ以上１０００回／ｍ以下（中撚）や、１０００回／ｍ以上２５００回／ｍ以下（強撚）、２５００回／ｍ以上（極強撚）などであっても良い。
【００４０】
又、繊維糸条４において「捲縮数」とは、ＪＩＳ−Ｌ−０２０８：２００６の２４５で規定されたように、「繊維の単位長さ当たりの捲縮（縮れ）の数」を意味し、ＪＩＳ−Ｌ−１０１５：２０１０の８．１２．１を準用して測定されても良い。尚、捲縮数の読み方は、山と谷とを全部数え、２で除して求める。
繊維糸条４の捲縮数は、特に限定はないが、例えば、２５ｍｍ当たりの捲縮数（縮れの数）で、１以上１００以下、好ましくは２以上２０以下、更に好ましくは３以上１０以下であっても良い。
繊維糸条４の具体的な色も、当然、特に限定はないが、例えば、白色系、水色系、黒色系、赤色系、茶色系、赤色系、青色系、黄色系、緑色系などであっても構わない。
【００４１】
＜繊維糸条４の捲縮率Ｋ＞
ここまで述べた繊維糸条４は、その捲縮率Ｋについても、以下でふれる。
本発明における「捲縮率Ｋ」とは、ＪＩＳ−Ｌ−０２０８：２００６の２４６で規定されたように、「繊維の捲縮を伸ばしたときの長さと、元の長さとの差の、伸ばしたときの長さに対する百分率」を意味し、ＪＩＳ−Ｌ−１０１５：２０１０の８．１２．２を準用して測定されても良い。
繊維糸条４の捲縮率Ｋは、１０％以上１５０％以下であり、好ましくは２０％以上１２０％以下、更に好ましくは３０％以上１００％以下、より更に好ましくは３５％以上８５％以下（５４％など）であっても良い。
【００４２】
このように、容器２内で植物Ｓを支える繊維糸条体３の捲縮した繊維糸条４の捲縮率Ｋを、少なくとも１０％以上１５０％以下とすることによって、植物Ｓを増殖させ、輸送過程では鮮度を保持することが出来るとも言え、又、栽培するとしても輸送するとしても数十個の繊維糸条体３を、容器（トレイ等）２に装填して効率的に取り扱うことが出来たり、栽培過程や輸送過程での施肥管理が簡略化され楽になったり、水蒸気雰囲気下（又は、水蒸気漂流層の下層部）が貯水性容器で包まれていれば、栽培過程や輸送過程で水蒸気漂流相が乾燥状態になる危険が回避され、灌水管理が簡略化され楽になるとも言える。
又、繊維糸条体３における繊維糸条４を構成する繊維に囲まれた隙間が、植物Ｓの根Ｎや茎を水蒸気雰囲気下に包み込むように構成されており、栽培して得られる植物（果実等）Ｓの含水率が抑えられ、新鮮で味わいのある果実が収穫されるとも言える。
【００４３】
＜繊維糸条体３の空隙率Ｇ＞
このような繊維糸条４で構成される繊維糸条体３については、その空隙率Ｇについても、以下でふれる。
本発明における「空隙率Ｇ」とは、「単位体積当たりの隙間（空間）の割合を百分率で表したもの」を意味し、多孔度や間隙率、気孔率とも言う。
【００４４】
繊維糸条体３の空隙率Ｇは、下記の式（１）や式（２）を用いて測定されても良く、又、ＪＩＳ−Ｒ−１６３４：１９９８の７．３や、ＪＩＳ−Ｒ−２２０５：１９９２の５．１を準用して測定されても良い。
尚、式（１）を用いて測定する方法は、アルキメデス法とも言える。
【００４５】
【数１】
2020202788.tif 000003
【００４６】
【数２】
2020202788.tif 000004
【００４７】
繊維糸条体３の空隙率Ｇは、８０％以上（１００％未満）であっても良く、好ましくは９０％以上（１００％未満）、更に好ましくは９５％以上（１００％未満）、より更に好ましくは９９％以上（１００％未満）であっても構わない。
このような空隙率Ｇを持つ繊維糸条体３であれば、栽培する植物Ｓの根Ｎが、当該繊維糸条体３を構成する繊維糸条４の間に存在し易くなるとも言える。
【００４８】
＜繊維糸条４の製造方法＞
図８に示したように、繊維糸条４の製造方法は、第１工程Ｔ１と第２工程Ｔ２を有している。
この２つの工程Ｔ１、Ｔ２のみで、上述した繊維糸条４を製造できるとも言える。
【００４９】
＜第１工程Ｔ１＞
図８で示したように、第１工程Ｔ１は、繊維糸条４の製造方法における最初の工程でああって、繊維糸条（後に繊維糸条４となるもの）を一旦織成、編成及び／又は植設して繊維製品とする工程である。
ここで、「繊維糸条を一旦織成、編成及び／又は植設して繊維製品とする」とは、上述したように、＜Ａ＞繊維糸条を一旦織成して繊維製品とすること、＜Ｂ＞繊維糸条を一旦編成して繊維製品とすること、＜Ｃ＞繊維糸条を一旦植設して繊維製品とすることの＜Ａ＞〜＜Ｃ＞のうち、少なくとも何れか１つをして繊維製品とすることであるが、更に詳解すれば、＜Ａ＞〜＜Ｃ＞それぞれのみをして繊維製品とする場合や、＜Ａ＞及び＜Ｂ＞をして繊維製品とする場合、＜Ｂ＞及び＜Ｃ＞をして繊維製品とする場合、＜Ａ＞及び＜Ｃ＞をして繊維製品とする場合、＜Ａ＞〜＜Ｃ＞全てをして繊維製品とする場合を含む。
【００５０】
＜繊維製品＞
繊維製品は、繊維糸条（後に繊維糸条４となるもの）を、一旦織成、編成及び／又は植設して作られる製品である。
繊維製品は、繊維糸条を、一旦織成、編成及び／又は植設して作られるのであれば、特に限定はないが、＜Ａ＞のみをして作られるのであれば、繊維製品は、例えば、繊維糸条を一旦織成した（繊維糸条を経糸及び緯糸として織った）織物（平織物、斜文織物、繻子織物、パイル織物等を含む）であっても良い。
＜Ｂ＞のみをして作られるのであれば、繊維製品は、例えば、繊維糸条を一旦編成した（繊維糸条を経糸又は緯糸として編んだ）編物（経編物、緯編物、パイル編物等を含む）であっても良い。
＜Ｃ＞のみをして作られるのであれば、繊維製品は、例えば、繊維糸条を一旦植設した（繊維糸条をパイル糸として基布に植設した（タフトした））敷物（タフトしたカーペット、マット、人工芝生等を含む）であっても良い。
【００５１】
又、＜Ａ＞及び＜Ｂ＞をして作られるのであれば、繊維製品は、例えば、織物と編物を、縫製や接着等によって１つの製品としたもの等であっても良い。
＜Ｂ＞及び＜Ｃ＞をして作られるのであれば、繊維製品は、例えば、タフトしたカーペット等の裏面などに編物を貼り付けたものや、編物である基布に繊維糸条をタフトしたもの等であっても良い。
＜Ａ＞及び＜Ｃ＞をして作られるのであれば、繊維製品は、例えば、タフトしたカーペット等の裏面などに織物を貼り付けたものや、織物である基布に繊維糸条をタフトしたもの等であっても良い。
更に、＜Ａ＞〜＜Ｃ＞全てをして作られるのであれば、繊維製品は、例えば、タフトしたカーペット等の裏面などに織物及び編物を貼り付けたものや、織物及び編物である基布に繊維糸条をタフトしたもの等であっても良い。
【００５２】
尚、繊維製品が植設した敷物であれば、上述したように、基布に、繊維糸条をパイルとしてタフトしたカーペット等であるが、これは、立毛布帛やパイル布帛とも言える。
尚、繊維糸条であるパイルは、ループパイルであっても良く、又、カットパイルでも構わない。
【００５３】
パイルの立毛高さ（毛足）も、何れの値であっても良く、例えば、１ｍｍ以上３０ｍｍ、好ましくは１ｍｍ以上１０ｍｍ以下、更に好ましくは１ｍｍ以上５ｍｍ以下であっても構わない。
又、第１工程では、次の第２工程を行う前に、繊維製品に熱セットせず（熱をかけず）とも良く、逆に、繊維製品に熱セットしても構わない。
【００５４】
＜第２工程Ｔ２＞
図８で示したように、第２工程Ｔ２は、繊維糸条４の製造方法における２番目の工程であって、上述した第１工程Ｔ１で作った繊維製品から、一旦織成、編成及び／又は植設された繊維糸条を解く（ほどく）工程である。
この解かれた繊維糸条が、上述した繊維糸条４であり、上述したように、捲縮しており、その捲縮率Ｋが１０％以上１５０％以下である。
【００５５】
本発明における「繊維製品から繊維糸条を解く」とは、詳解すれば、上述した第１工程Ｔ１において、＜Ａ＞のみをして作られた繊維製品であれば、一旦織成した織物から繊維糸条を解くことを意味し、又、＜Ｂ＞のみをして作られた繊維製品であれば、一旦編成した編物から繊維糸条を解くことを意味し、この解きは、作業者が手や道具で解いたり、装置によって解いても良い。
＜Ｃ＞のみをして作られた繊維製品であれば、繊維糸条をパイルとして基布に一旦植設した敷物から、当該パイルとして植設した繊維糸条を解くことを意味し、この解きは、作業者が手や道具で解いたり、装置によって（例えば、タフト機のルーパー等を用いて）解いても良い。
その他、＜Ａ＞及び＜Ｂ＞や、＜Ｂ＞及び＜Ｃ＞、＜Ａ＞及び＜Ｃ＞、＜Ａ＞〜＜Ｃ＞全てをして作られる繊維製品から、繊維糸条を解く際には、上記＜Ａ＞〜＜Ｃ＞ごとの解きを組み合わせることとなる。
【００５６】
＜その他＞
本発明は、上述した実施形態に限定されるものではない。栽培システム１、繊維糸条体３、繊維糸条４の製造方法等の各構成又は全体の構造、形状、寸法などは、本発明の趣旨に沿って適宜変更することが出来る。
栽培システム１では、土を用いても良い。
栽培システム１では、繊維糸条体３に液肥を含ませたり、固形の肥料等を用いても良く、固形の肥料を用いる場合には、当該固形の肥料を、容器２（凹部２ａ）内で繊維糸条体３と共に、水等に浸けておくこととなる。
栽培システム１は、容器２を、更に別の容器２’内に入れていても良く、この際、容器２（凹部２ａ）の底には、繊維糸条体３は通さず、水等の液体を通す孔が設けられていても良い。
【００５７】
容器２は、袋状であっても良く、この袋状の容器２は、合成樹脂製等のフィルムなどで構成されていても良い。
繊維糸条体３は、当該繊維糸条体３と植物Ｓを有するのみであっても良い。
繊維糸条４は、捲縮した状態の繊維糸条４自体が、螺旋状とまではなっておらず、蛇行したり、波を打つ等の状態であっても良い。
繊維糸条４の製造方法としては、上述した第１工程Ｔ１と第２工程Ｔ２を有した製造方法以外によって製造されていても良く、例えば、繊維糸条（後に繊維糸条４となるもの）に撚りをかける工程を有するのみであっても良い。
【産業上の利用可能性】
【００５８】
本発明に係る植物の栽培システムは、上述したように、田畑、庭、農場などの屋外や、ビニールハウス内だけでなく、リビングや台所、玄関、ベランダなどの一般住宅にて用いられたり、飲食店内やオフィス内、工場内などにて用いられても良いが、その他、ＩｏＴ（Internet of Things）化された農場等や、ＩｏＴ化されたビニールハウス内、ＩｏＴ化された一般住宅、飲食店内やオフィス内、工場内などにも利用可能であり、又、生鮮植物の輸送手段に用いれば、貯水手段を要せずに植物を育成可能な活性状態で消費者に届けることに利用できるとも言える。
本発明に係る繊維糸条体は、当然に、上述した植物の栽培システムに用いられるが、上述した植物の栽培システム以外の栽培システムに用いられたり、その他、栽培システムではなく、寝具やクッション材、梱包時の衝撃吸収材、保温材などにも利用可能であり、又、生鮮植物の輸送手段に用いれば、貯水手段を要せずに植物を育成可能な活性状態で消費者に届けることに利用できるとも言える。
本発明に係る繊維糸条の製造方法は、上述した植物の栽培システムにおける繊維糸条体の製造に用いられるが、上述した植物の栽培システム以外の栽培システムにおける繊維糸条体の製造に用いられたり、その他、栽培システムではなく、寝具やクッション材、梱包時の衝撃吸収材、保温材などの繊維糸条体の製造にも利用可能であり、又、生鮮植物の輸送手段に用いれば、貯水手段を要せずに植物を育成可能な活性状態で消費者に届けることに利用できるとも言える。
【符号の説明】
【００５９】
１      栽培システム
２      容器
３      繊維糸条体
４      繊維糸条
Ｓ      植物
Ｋ      繊維糸条の捲縮率
Ｇ      繊維糸条体の空隙率
Ｎ      植物の根
Ｔ１    第１工程
Ｔ２    第２工程
【図１】
2020202788.tif 000005
【図２】
2020202788.tif 000006
【図３】
2020202788.tif 000007
【図４】
2020202788.tif 000008
【図５】
2020202788.tif 000009
【図６】
2020202788.tif 000010
【図７】
2020202788.tif 000011
【図８】
2020202788.tif 000012